(57)【要約】      （修正有）【課題】  電子機器収納装置の両脇のケーブルスペースの幅が狭くなっても確実にケーブルの捕縛作業を行うこと。【解決手段】  電子機器収納装置２４を個別に収納する複数の収納棚部９とを備えた電子機器用キャビネット１において、収納棚部は、キャビネット本体の開口と同等幅の棚部と、棚部に設けた熱反射板と、棚部に設けたケーブル整線機構１３と、棚部の両側部に開閉自在に設けた側板１４，１５と、棚部の後端部に設けた背板１６と、背板の上端部に開閉自在に設けた天板とを備え、電子機器収納装置の未収納時には、側板および天板を閉じて電子機器収納装置に相応する空間を形成し、電子機器収納装置の収納時には、側板および天板を開いて電子機器収納装置の収納空間を形成して成る。【選択図】    図１
2006060136.tif 000002
【特許請求の範囲】
【請求項１】
キャビネット本体と、
前記キャビネット本体の前面部に設けた開閉扉と、
前記キャビネット本体の背面部に設けた裏面カバーと、
前記キャビネット本体の両側部に設けた側面カバーと、
前記側面カバーと前記キャビネット本体との間に設けたケーブル整線機構と、
前記キャビネット本体の縦方向に配置されるとともに電子機器収納装置を個別に収納する複数の収納棚部とを備えた電子機器用キャビネットにおいて、
前記収納棚部は、
前記キャビネット本体の開口と同等幅の棚部と、
前記棚部に設けた熱反射板と、
前記棚部に設けたケーブル整線機構と、
前記棚部の両側部に開閉自在に設けた側板と、
前記棚部の後端部に設けた背板と、
前記背板の上端部に開閉自在に設けた天板と
を備え、
前記電子機器収納装置の未収納時には、前記側板および前記天板を閉じて前記電子機器収納装置に相応する空間を形成し、
前記電子機器収納装置の収納時には、前記側板および前記天板を開いて前記電子機器収納装置の収納空間を形成して成る
ことを特徴とする電子機器用キャビネット。
【請求項２】
請求項１記載の電子機器用キャビネットにおいて、
前記天板は、前記背板の上部に設けたスプリング蝶番を介して開閉自在に支持され、
前記側板は、前記天板の前部で前記キャビネット本体に取り付く側板に設けたスプリング蝶番を介して開閉自在に支持され、
前記電子機器収納装置の収納時には、前記側板および前記天板を開いて前記電子機器収納装置の収納空間を形成して成る
ことを特徴とする電子機器用キャビネット。
【請求項３】
請求項１記載の電子機器用キャビネットにおいて、
前記天板は、前記背板の上部に設けたスプリング蝶番を介して開閉自在に支持され、
前記側板は、前記天板の後部で前記キャビネット本体に取り付く側板に設けたスプリング蝶番を介して開閉自在に支持され、
前記電子機器収納装置の収納時には、前記側板および前記天板を開いて前記電子機器収納装置の収納空間を形成して成る
ことを特徴とする電子機器用キャビネット。
【請求項４】
請求項１ないし請求項３の何れか記載の電子機器用キャビネットにおいて、
前記天板は、両側部に穴部を設け、
前記側板は、前記穴部に嵌入するＬ型に折曲する係止部を設け、
前記電子機器収納装置の収納時には、前記係止部を前記穴部と係合して前記側板の過開き防止部を形成して成る
ことを特徴とする電子機器用キャビネット。
【請求項５】
請求項１ないし請求項３の何れか記載の電子機器用キャビネットにおいて、
前記天板は、両側部にＬ型に折曲する係止部を設け、
前記側板は、前記係止部と係合する穴部を設け、
前記電子機器収納装置の収納時には、前記係止部を前記穴部と係合して前記側板の過開き防止部を形成して成る
ことを特徴とする電子機器用キャビネット。
【請求項６】
上部にケーブル導入部を備えた請求項１ないし請求項５の何れか記載の電子機器用キャビネットと、前記収納棚部に収納される基本となる前記電子機器収納装置および増設される前記電子機器収納装置とを備え、
前記キャビネット本体の最下段に電源装置を収納する収納部を形成し、
最下段の前記収納棚部に、前記電子機器収納装置の収納空間を形成するとともに前記基本となる前記電子機器収納装置の収納部を形成し、
前記最下段の前記収納棚部の上方の前記収納棚部に、前記電子機器収納装置の収納空間を順次形成するとともに前記増設される前記電子機器収納装置の収納部を形成し、
前記増設される前記電子機器収納装置を収納しない前記収納棚部は、前記側板および前記天板を閉じて前記電子機器収納装置に相応する空間を形成して成る
ことを特徴とする電子機器装置。
【請求項７】
下部にケーブル導入部を備えた請求項１ないし請求項５の何れか記載の電子機器用キャビネットと、前記収納棚部に収納される基本となる前記電子機器収納装置および増設される前記電子機器収納装置とを備え、
前記キャビネット本体の最上段に電源装置を収納する収納部を形成し、
最上段の前記収納棚部に、前記電子機器収納装置の収納空間を形成するとともに前記基本となる前記電子機器収納装置の収納部を形成し、
前記最上段の前記収納棚部の下方の前記収納棚部に、前記電子機器収納装置の収納空間を順次形成するとともに前記増設される前記電子機器収納装置の収納部を形成し、
前記増設される前記電子機器収納装置を収納しない前記収納棚部は、前記側板および前記天板を閉じて前記電子機器収納装置に相応する空間を形成して成る
ことを特徴とする電子機器装置。
【請求項８】
請求項６または請求項７記載の電子機器装置において、
前記電子機器収納装置は、側部に係止突起を設け、
前記側板は、前記係止突起を嵌入させる凹部を設け、
前記電子機器収納装置を前記電子機器収納装置の収納空間に収納時に、前記係止突起を前記凹部に嵌入して前記側板の過開き防止部を形成して成る
ことを特徴とする電子機器装置。
【請求項９】
請求項６記載の電子機器装置における前記電子機器収納装置の収納方法において、
すべての前記収納棚部を閉じた状態で、前記ケーブル導入部から前記電子機器用キャビネット内に電源用のケーブルを導入するとともに電源用のケーブルを捕縛する工程と、
前記キャビネット本体の最下段に形成した収納部に前記電源装置を収納する工程と、
前記ケーブル導入部から前記電子機器用キャビネット内に前記基本となる電子機器収納装置用のケーブルを導入するとともに前記基本となる電子機器用のケーブルを捕縛する工程と、
前記電源装置を収納した前記収納部の上の前記収納棚部の前記側板および前記天板を開いて前記電子機器収納装置の収納空間を形成し、前記基本となる電子機器収納装置を収納する工程と、
収納した前記基本となる電子機器のコネクタに前記基本となる電子機器用のケーブルを接続する工程と、
前記増設する電子機器の増設時に、前記基本となる電子機器収納装置を収納した収納棚部の上方に位置する閉じた状態の前記収納棚部によって形成された空間を利用して、前記ケーブル導入部から前記電子機器用キャビネット内に前記増設する電子機器用のケーブルを導入するとともに前記増設する電子機器用のケーブルを捕縛する工程と、
前記基本となる電子機器収納装置を収納した上の前記収納棚部の前記側板および前記天板を開いて前記電子機器収納装置の収納空間を形成し、前記増設する電子機器収納装置を収納する工程と、
収納した前記増設する電子機器のコネクタに前記増設する電子機器用のケーブルを接続する工程と
を有することを特徴とする電子機器収納装置の収納方法。
【請求項１０】
請求項７記載の電子機器装置における前記電子機器収納装置の収納方法において、
すべての前記収納棚部を閉じた状態で、前記ケーブル導入部から前記電子機器用キャビネット内に電源用のケーブルを導入するとともに電源用のケーブルを捕縛する工程と、
前記キャビネット本体の最上段に形成した収納部に前記電源装置を収納する工程と、
前記ケーブル導入部から前記電子機器用キャビネット内に前記基本となる電子機器用のケーブルを導入するとともに前記基本となる電子機器用のケーブルを捕縛する工程と、
前記電源装置を収納した前記収納部の下の前記収納棚部の前記側板および前記天板を開いて前記電子機器収納装置の収納空間を形成し、前記基本となる電子機器収納装置を収納する工程と、
収納した前記基本となる電子機器のコネクタに前記基本となる電子機器用のケーブルを接続する工程と、
前記増設する電子機器の増設時に、前記基本となる電子機器収納装置を収納した収納棚部の下方に位置する閉じた状態の前記収納棚部によって形成された空間を利用して、前記ケーブル導入部から前記電子機器用キャビネット内に前記増設する電子機器用のケーブルを導入するとともに前記増設する電子機器用のケーブルを捕縛する工程と、
前記基本となる電子機器収納装置を収納した下の前記収納棚部の前記側板および前記天板を開いて前記電子機器収納装置の収納空間を形成し、前記増設する電子機器収納装置を収納する工程と、
収納した前記増設する電子機器のコネクタに前記増設する電子機器用のケーブルを接続する工程と
を有することを特徴とする電子機器収納装置の収納方法。
【発明の詳細な説明】
【技術分野】
【０００１】
本発明は、電子機器用キャビネット、この電子機器用キャビネットを用いた電子機器装置およびこの電子機器装置への電子機器収納装置の収納方法に関する。
【背景技術】
【０００２】
従来、通信装置などの電子機器を収する電子機器用キャビネットとしては、例えば、特許文献１などのよって知られている。
図１５〜図１７によって、従来の電子機器用キャビネットを説明する。なお、ここでは１つの収納棚部１０８について説明し、全体説明を省略する。
電子機器用キャビネット１００は、キャビネット本体１０１と、キャビネット本体１０１の前面部に設けた開閉扉１０２と、キャビネット本体１０１の背面部に設けた裏面カバー１０３と、キャビネット本体１０１の両側部に設けた側面カバー１０４，１０５と、側面カバー１０４，１０５とキャビネット本体１０１との間に設けたケーブル整線機構１０６，１０７と、キャビネット本体１０１の縦方向に配置されるとともに電子機器収納装置１２０を個別に収納する複数の収納棚部１０８とを備えている。
【０００３】
収納棚部１０８は、キャビネット本体１０１の開口と同等幅の棚部１０９と、棚部１０９に設けた熱反射板１１０と、棚部１０９に設けたケーブル整線機構１１１，１１２と、棚部１０９の両側部に側板１１３，１１４と、棚部１０９の後端部に設けた背板１１５と、側板１１３，１１４と背板１１５の上端部に天板１１６とを有し、アングル材１１７，１１８に固定されている。
【０００４】
電子機器収納装置１２０は、例えば、箱形形状を為すプリント板収納棚（シェルフ）であり、固定ネジ１２１によって収納棚部１０８に固定される。電子機器収納装置１２０内には、プリント板（配線基板）１２２を縦型にして装着できるように構成されている。ここでは、プリント板１２２には、外線または内線ケーブル（メタル）１２３と外線または内線ケーブル（光）１２４とが取り付けられるようになっている。
【０００５】
ケーブル整線機構１０６では、外線ケーブル（メタル）１２３が整線され、ケーブル整線機構１０７では、外線ケーブル（光）１２４が整線される。ケーブル整線機構１１１では、内線ケーブル（メタル）１２３が整線され、ケーブル整線機構１１２では、内線ケーブル（光）１２４が整線される。
通常、電子機器用キャビネット１００の幅Ｗ１は６５０ｍｍ、電子機器収納装置１２０の幅Ｗ２は４３８ｍｍ、電子機器収納装置１２０の両脇のケーブルスペースの幅Ｗ３，Ｗ４はそれぞれ１０６ｍｍとされ、ケーブルの捕縛作業が十分確保されている。
【特許文献１】特開２００１−１０２７６５号公報
【発明の開示】
【発明が解決しようとする課題】
【０００６】
ところが、装置の小型化を図るため、電子機器用キャビネット１００の幅Ｗ１を６５０ｍｍから５１８ｍｍに狭めることが要望されている。
その結果、電子機器収納装置１２０の両脇のケーブルスペースの幅Ｗ３，Ｗ４がそれぞれ１０６ｍｍから４０ｍｍとなる。
しかし、前面部に設けた開閉扉１０２のヒンジ部と固定部を確保するために側面カバー１０４，１０５の先端をＬ型に折曲しているため、ケーブルスペースの幅がさらに狭くなり、ケーブルの捕縛作業の妨げとなるという不具合がある。
【０００７】
本発明は斯かる従来の問題点を解決するために為されたもので、その目的は、電子機器収納装置の両脇のケーブルスペースの幅が狭くなっても確実にケーブルの捕縛作業を行うことができる電子機器用キャビネット、電子機器装置および電子機器収納装置の収納方法を提供することにある。
【課題を解決するための手段】
【０００８】
請求項１に係る発明は、キャビネット本体と、前記キャビネット本体の前面部に設けた開閉扉と、前記キャビネット本体の背面部に設けた裏面カバーと、前記キャビネット本体の両側部に設けた側面カバーと、前記側面カバーと前記キャビネット本体との間に設けたケーブル整線機構と、前記キャビネット本体の縦方向に配置されるとともに電子機器収納装置を個別に収納する複数の収納棚部とを備えた電子機器用キャビネットにおいて、前記収納棚部は、前記キャビネット本体の開口と同等幅の棚部と、前記棚部に設けた熱反射板と、前記棚部に設けたケーブル整線機構と、前記棚部の両側部に開閉自在に設けた側板と、前記棚部の後端部に設けた背板と、前記背板の上端部に開閉自在に設けた天板とを備え、前記電子機器収納装置の未収納時には、前記側板および前記天板を閉じて前記電子機器収納装置に相応する空間を形成し、前記電子機器収納装置の収納時には、前記側板および前記天板を開いて前記電子機器収納装置の収納空間を形成して成ることを特徴とする。
【０００９】
請求項２に係る発明は、請求項１記載の電子機器用キャビネットにおいて、前記天板は、前記背板の上部に設けたスプリング蝶番を介して開閉自在に支持され、前記側板は、前記天板の前部で前記キャビネット本体に取り付く側板に設けたスプリング蝶番を介して開閉自在に支持され、前記電子機器収納装置の収納時には、前記側板および前記天板を開いて前記電子機器収納装置の収納空間を形成して成ることを特徴とする。
【００１０】
請求項３に係る発明は、請求項１記載の電子機器用キャビネットにおいて、前記天板は、前記背板の上部に設けたスプリング蝶番を介して開閉自在に支持され、前記側板は、前記天板の後部で前記キャビネット本体に取り付く側板に設けたスプリング蝶番を介して開閉自在に支持され、前記電子機器収納装置の収納時には、前記側板および前記天板を開いて前記電子機器収納装置の収納空間を形成して成ることを特徴とする。
【００１１】
請求項４に係る発明は、請求項１ないし請求項３の何れか記載の電子機器用キャビネットにおいて、前記天板は、両側部に穴部を設け、前記側板は、前記穴部に嵌入するＬ型に折曲する係止部を設け、前記電子機器収納装置の収納時には、前記係止部を前記穴部と係合して前記側板の過開き防止部を形成して成ることを特徴とする。
請求項５に係る発明は、請求項１ないし請求項３の何れか記載の電子機器用キャビネットにおいて、前記天板は、両側部にＬ型に折曲する係止部を設け、前記側板は、前記係止部と係合する穴部を設け、前記電子機器収納装置の収納時には、前記係止部を前記穴部と係合して前記側板の過開き防止部を形成して成ることを特徴とする。
【００１２】
請求項６に係る発明は、上部にケーブル導入部を備えた請求項１ないし請求項５の何れか記載の電子機器用キャビネットと、前記収納棚部に収納される基本となる前記電子機器収納装置および増設される前記電子機器収納装置とを備え、前記キャビネット本体の最下段に電源装置を収納する収納部を形成し、最下段の前記収納棚部に、前記電子機器収納装置の収納空間を形成するとともに前記基本となる前記電子機器収納装置の収納部を形成し、前記最下段の前記収納棚部の上方の前記収納棚部に、前記電子機器収納装置の収納空間を順次形成するとともに前記増設される前記電子機器収納装置の収納部を形成し、前記増設される前記電子機器収納装置を収納しない前記収納棚部は、前記側板および前記天板を閉じて前記電子機器収納装置に相応する空間を形成して成ることを特徴とする。
【００１３】
請求項７に係る発明は、下部にケーブル導入部を備えた請求項１ないし請求項５の何れか記載の電子機器用キャビネットと、前記収納棚部に収納される基本となる前記電子機器収納装置および増設される前記電子機器収納装置とを備え、前記キャビネット本体の最上段に電源装置を収納する収納部を形成し、最上段の前記収納棚部に、前記電子機器収納装置の収納空間を形成するとともに前記基本となる前記電子機器収納装置の収納部を形成し、前記最上段の前記収納棚部の下方の前記収納棚部に、前記電子機器収納装置の収納空間を順次形成するとともに前記増設される前記電子機器収納装置の収納部を形成し、前記増設される前記電子機器収納装置を収納しない前記収納棚部は、前記側板および前記天板を閉じて前記電子機器収納装置に相応する空間を形成して成ることを特徴とする。
【００１４】
請求項８に係る発明は、請求項６または請求項７記載の電子機器装置において、前記電子機器収納装置は、側部に係止突起を設け、前記側板は、前記係止突起を嵌入させる凹部を設け、前記電子機器収納装置を前記電子機器収納装置の収納空間に収納時に、前記係止突起を前記凹部に嵌入して前記側板の過開き防止部を形成して成ることを特徴とする。
請求項９に係る発明は、請求項６記載の電子機器装置における前記電子機器収納装置の収納方法において、すべての前記収納棚部を閉じた状態で、前記ケーブル導入部から前記電子機器用キャビネット内に電源用のケーブルを導入するとともに電源用のケーブルを捕縛する工程と、前記キャビネット本体の最下段に形成した収納部に前記電源装置を収納する工程と、前記ケーブル導入部から前記電子機器用キャビネット内に前記基本となる電子機器収納装置用のケーブルを導入するとともに前記基本となる電子機器用のケーブルを捕縛する工程と、前記電源装置を収納した前記収納部の上の前記収納棚部の前記側板および前記天板を開いて前記電子機器収納装置の収納空間を形成し、前記基本となる電子機器収納装置を収納する工程と、収納した前記基本となる電子機器のコネクタに前記基本となる電子機器用のケーブルを接続する工程と、前記増設する電子機器の増設時に、前記基本となる電子機器収納装置を収納した収納棚部の上方に位置する閉じた状態の前記収納棚部によって形成された空間を利用して、前記ケーブル導入部から前記電子機器用キャビネット内に前記増設する電子機器用のケーブルを導入するとともに前記増設する電子機器用のケーブルを捕縛する工程と、前記基本となる電子機器収納装置を収納した上の前記収納棚部の前記側板および前記天板を開いて前記電子機器収納装置の収納空間を形成し、前記増設する電子機器収納装置を収納する工程と、収納した前記増設する電子機器のコネクタに前記増設する電子機器用のケーブルを接続する工程とを有することを特徴とする。
【００１５】
請求項１０に係る発明は、請求項７記載の電子機器装置における前記電子機器収納装置の収納方法において、すべての前記収納棚部を閉じた状態で、前記ケーブル導入部から前記電子機器用キャビネット内に電源用のケーブルを導入するとともに電源用のケーブルを捕縛する工程と、前記キャビネット本体の最上段に形成した収納部に前記電源装置を収納する工程と、前記ケーブル導入部から前記電子機器用キャビネット内に前記基本となる電子機器用のケーブルを導入するとともに前記基本となる電子機器用のケーブルを捕縛する工程と、前記電源装置を収納した前記収納部の下の前記収納棚部の前記側板および前記天板を開いて前記電子機器収納装置の収納空間を形成し、前記基本となる電子機器収納装置を収納する工程と、収納した前記基本となる電子機器のコネクタに前記基本となる電子機器用のケーブルを接続する工程と、前記増設する電子機器の増設時に、前記基本となる電子機器収納装置を収納した収納棚部の下方に位置する閉じた状態の前記収納棚部によって形成された空間を利用して、前記ケーブル導入部から前記電子機器用キャビネット内に前記増設する電子機器用のケーブルを導入するとともに前記増設する電子機器用のケーブルを捕縛する工程と、前記基本となる電子機器収納装置を収納した下の前記収納棚部の前記側板および前記天板を開いて前記電子機器収納装置の収納空間を形成し、前記増設する電子機器収納装置を収納する工程と、収納した前記増設する電子機器のコネクタに前記増設する電子機器用のケーブルを接続する工程とを有することを特徴とする。
【発明の効果】
【００１６】
本発明によれば、電子機器収納装置の両脇のケーブルスペースの幅が狭くなっても確実にケーブルの捕縛作業を行うことができる。
【発明を実施するための最良の形態】
【００１７】
以下、本発明を図面に示す実施形態に基づいて説明する。
図１〜図６は、本発明の一実施形態に係る電子機器用キャビネット１および電子機器装置３０を示す（請求項１，２，４，６，７，８に対応する）。
本実施形態に係る電子機器用キャビネット１および電子機器装置３０は、電子機器収納装置２４を収納する際に、閉じていた収納棚部９の側板１４，１５および天板１７を開いて電子機器収納装置２４の収納空間２３を形成することができる。ここでは、１つの収納棚部９について説明する。
【００１８】
本実施形態に係る電子機器用キャビネット１は、キャビネット本体２と、キャビネット本体２の前面部に設けた開閉扉３と、キャビネット本体３の背面部に設けた裏面カバー４と、キャビネット本体２の両側部に設けた側面カバー５，６と、側面カバー５，６とキャビネット本体２との間に設けたケーブル整線機構７，８と、キャビネット本体２の縦方向に配置されるとともに電子機器収納装置２４を個別に収納する複数の収納棚部９とを備えている。
【００１９】
収納棚部９は、キャビネット本体２の開口と同等幅の棚部１０と、棚部１０の中央部を切り欠いて設けた熱反射板１１と、棚部１０の下部に設けたケーブル整線機構１２，１３と、棚部１０の両側部に開閉自在に設けた側板１４，１５と、棚部１０の後端部に設けた背板１６と、背板１６の上端部に開閉自在に設けた天板１７とを備えている。
棚部１０は、ケーブル整線機構１２，１３および背板１６とともに２つのアングル材１８，１９に固定されている。また、棚部１０の先端部の２隅には板状のストッパ１０ａ，１０ｂを設けている。
【００２０】
側板１４，１５は、矩形状の金属製の板材の三辺を直角曲げした舌片１４ａ，１４ｂ，１４ｃ，１５ａ，１５ｂ，１５ｃを有し、前面側の舌片１４ｂ，１５ｂには、矩形状の切り込み１４ａ’，１５ａ’を設け、その箇所に切り欠き部（凹部）２０ａ，２１ａを有する受け金具２０，２１を取り付けている。また、側板１４，１５は、天板１７に設けた穴部１７ａ，１７ｂに嵌入するＬ型に折曲する係止部１４ｄ，１５ｄを設けている。さらに、側板１４，１５は、天板１７の前側でキャビネット本体２に取り付くアングル材１８，１９に設けたスプリング蝶番１８ａ，１８ｂ，１９ａ，１９ｂを介して開閉自在に支持されている。スプリング蝶番１８ａ，１８ｂ，１９ａ，１９ｂは、側板１４，１５を閉方向へ作用するようにバネ荷重をかけている。切り欠き部２０ａ，２１ａを有する受け金具２０，２１は、電子機器収納装置２４を収納棚部９を開いて形成する電子機器収納装置２４の収納空間２３に収納時に、電子機器収納装置２４の両側部に設けた係止ピン２６，２７を嵌入して側板１４，１５の過開き防止部を形成する。
【００２１】
天板１７は、額縁形状を為し、側板１４，１５のＬ型に折曲する係止部１４ｄ，１５ｄを挿入するための穴部１７ａ，１７ｂを両側部に設け、背板１６の上部に設けた２つのスプリング蝶番１７ｃ，１７ｄを介して開閉自在に支持されている。２つのスプリング蝶番１７ｃ，１７ｄは、天板１７を開方向へ作用するようにバネ荷重をかけている。
なお、本実施形態に係る電子機器用キャビネット１は、図７〜図１０に示すように、最下段または最上段に電源盤２２を設けておく。
【００２２】
次に、斯くして構成した本実施形態に係る電子機器用キャビネット１を用いて本実施形態に係る電子機器装置３０を構築する方法を図７，図８に基づいてについて説明する。
本実施形態では、図７，図８に示すように、外線ケーブル２８ａを電子機器用キャビネット１の上部から導入する場合について説明する（請求項６，８，９に対応する）。
先ず、電子機器用キャビネット１は、電子機器収納装置２４を取り付ける前の段階では、すべての収納棚部９が、図２に示されるように閉じた状態になっている（図７においては、判りやすくするために、閉じている収納棚部９をクロスで表示している。）。そのため、棚部１０の上部が露出し、棚部１０と両側のケーブルスペースとが繋がった空間を形成している。
【００２３】
次に、基本となる電子機器収納装置２４を収納するために、図３〜図５、図７に示すように、最下段に設けた電源盤２２の上の収納棚部９の側板１４，１５をスプリング蝶番１８ａ，１８ｂ，１９ａ，１９ｂを介して観音開きしてストッパー１０ａ，１０ｂの位置まで開放し、図４に示すように、天板１７をスプリング蝶番１７ｃ，１７ｄを介して背板１６から立ち上げ、側板１４，１５の係止部１４ｄ，１５ｄを穴部１７ａ，１７ｂ内に嵌入し、側板１４，１５の１４ａ，１４ｂ，１５ａ，１５ｂに当接させることによって、基本となる電子機器収納装置２４を収納するための収納空間２３を形成する。
【００２４】
次に、図５に示すように、収納空間２３に基本となる電子機器収納装置２４を収納する。この際、図６に示すように、側板１４，１５に設けた矩形状の切り込み１４ａ’，１５ａ’および受け金具２０，２１の切り欠き部２０ａ，２１ａ内に電子機器収納装置２４の両側部に設けた係止ピン２６，２７が嵌入する。そして、固定ネジ３１によって電子機器収納装置２４を収納棚部９に固定する。
【００２５】
次に、基本となる電子機器収納装置２４を収納する収納棚部９より上方の空間を利用して作業者がケーブルの接続および捕縛を行う。
次に、図８に示すように、電子機器収納装置２４を増設する場合には、基本となる電子機器収納装置２４を収納する収納棚部９の上の収納棚部９を同様にして組み立てて、増設する電子機器収納装置２４を収納する収納棚部９を構築し、そこに増設する電子機器収納装置２４を収納する。
【００２６】
次に、増設する電子機器収納装置２４を収納する収納棚部９より上方の空間を利用して作業者がケーブルの接続および捕縛を行う。
以上により、目的とする電子機器装置３０を形成することができる。
ここで、電子機器収納装置２４は、例えば、箱形形状を為すプリント板収納棚（シェルフ）であり、プリント板（配線基板）２８を縦型にして装着できるように構成されている。ここでは、プリント板２８には、外線または内線ケーブル（メタル）２８ａと外線または内線ケーブル（光）２８ｂとが取り付けられるようになっている。
【００２７】
ケーブル整線機構７では、外線ケーブル（メタル）２８ａが整線され、ケーブル整線機構８では、外線ケーブル（光）２８ｂが整線される。ケーブル整線機構１２では、内線ケーブル（メタル）２８ａが整線され、ケーブル整線機構１３では、内線ケーブル（光）２８ｂが整線される。
本実施形態では、電子機器用キャビネット１の幅Ｗ１は５１８ｍｍ、電子機器収納装置２４の幅Ｗ２は４３８ｍｍ、電子機器収納装置２４の両脇のケーブルスペースの幅Ｗ３，Ｗ４はそれぞれ４０ｍｍとした。従って、従来のケーブルスペースの幅Ｗ３，Ｗ４＝１０６ｍｍより６６ｍｍ狭くなっている。そのため、電子機器用キャビネットと同様の条件では、ケーブルの捕縛作業が十分確保できない。しかるに、本実施形態では、電子機器収納装置２４を収納しないときには、収容棚部９が閉じた状態にされているので、電子機器用キャビネット１内の空間を利用してケーブルの接続や捕縛を行うことができる。そのため、電子機器用キャビネット１の幅Ｗ１を６５０ｍｍから５１８ｍｍにしても支障なく作業を行うことが可能となる。
【００２８】
図９，図１０は、外線ケーブルを電子機器用キャビネット１の下部から導入する場合について説明する（請求項７，８，１０に対応する）。
本実施形態に係る電子機器装置３０Ａは、電源盤２２が電子機器用キャビネット１の最上部に位置し、基本となる電子機器収容部２４を電源盤２２の下の収納棚部９に収納し、増設する電子機器収容部２４をその下の収納棚部９に収納するようにした点で、図７，図８に示す実施形態とは相違する。
【００２９】
本実施形態においても、図７，図８に示す実施形態と同様の作用効果を奏することができる。
図１１〜図１４は、本発明の別の実施形態に係る電子機器用キャビネット１Ａを示す（請求項１，３，５，６，７，８に対応する）。
本実施形態に係る電子機器用キャビネット１Ａは、キャビネット本体２Ａおよび収納棚部９Ａが側板１４Ａ，１５Ａの前に天板１７Ａを配置した点で、電子機器用キャビネット１とは相違する。
【００３０】
側板１４Ａ，１５Ａは、側板１４，１５と同様に、矩形状の金属製の板材の三辺を直角曲げした舌片１４ａ，１４ｂ，１４ｃ，１５ａ，１５ｂ，１５ｃを有し、前面側の舌片１４ｂ，１５ｂには、矩形状の切り込み１４ａ’，１５ａを設け、その箇所に切り欠き部（凹部）２０ａ，２１ａを有する受け金具２０，２１を取り付けている。また、側板１４Ａ，１５Ａは、天板１７Ａに設けたＬ型の係止部１７ｅ，１７ｆに嵌入する穴部１４ｅ，１５ｅを設けている。さらに、側板１４Ａ，１５Ａは、側板１４，１５と同様に、キャビネット本体２に取り付くアングル材１８，１９に設けたスプリング蝶番１８ａ，１８ｂ，１９ａ，１９ｂを介して開閉自在に支持されている。スプリング蝶番１８ａ，１８ｂ，１９ａ，１９ｂは、側板１４Ａ，１５Ａを閉方向へ作用するようにバネ荷重をかけている。切り欠き部２０ａ，２１ａを有する受け金具２０，２１は、電子機器収納装置２４を収納棚部９を開いて形成する電子機器収納装置２４の収納空間２３に収納時に、電子機器収納装置２４の両側部に設けた係止ピン２６，２７を嵌入して側板１４，１５の過開き防止部を形成する。
【００３１】
天板１７Ａは、閉じられた側板１４Ａ，１５Ａの前面で閉じた状態を維持するために、背板１６に連接する額縁状の繋板１７ｅに２つのスプリング蝶番１７ｆ，１７ｇを介して開閉自在に支持されている。そのため、天板１７Ａと繋板１７ｅとの接合部は面取りがしてある。２つのスプリング蝶番１７ｆ，１７ｇは、天板１７を閉方向へ作用するようにバネ荷重をかけている。また、天板１７Ａの先端部の両側には、図１３，図１４に示すようにＬ型に折曲する係止片１７ｈ，１７ｉが設けてある。
【００３２】
本実施形態においては、天板１７Ａが先に開かれるので、図１３，図１４に示すように、天板１７Ａの両側に設けたＬ型に折曲する係止片１７ｈ，１７ｉを、側板１４Ａ，１５Ａに設けた穴部１４ｅ，１５ｅに嵌入することによって、その開き過ぎを防止している。
本実施形態によれば、図１〜図６に示す実施形態に係る電子機器用キャビネット１および電子機器装置３０と同様の作用効果を奏することができる。
【００３３】
また、本実施形態によれば、図８〜図１０に示す電子機器収納装置２４の収納方法を同様に実現することができる。
【図面の簡単な説明】
【００３４】
【図１】本発明の一実施形態に係る電子機器用キャビネット１および電子機器装置３０を示す断面図である。
【図２】図１における電子機器用キャビネット１の収納棚部の閉じた状態を示す斜視図である。
【図３】図１における電子機器用キャビネット１の収納棚部の側板を開いた状態を示す拡大図である。
【図４】図１における電子機器用キャビネット１の収納棚部の天板を開いた状態を示す拡大図である。
【図５】図１における電子機器用キャビネット１に電子機器収納装置を収納する状態を示す説明図である。
【図６】図５における電子機器用キャビネット１の収納棚部と電子機器収納装置との係合状態を示す説明図である。
【図７】外線ケーブルを上部から導入する図１における電子機器用キャビネット１に基本となる電子機器収納装置を収納して電子機器装置を構築する方法を示す説明図である。
【図８】図７の電子機器装置に増設する電子機器収納装置を収納する方法を示す説明図である。
【図９】外線ケーブルを下部から導入する図１における電子機器用キャビネット１に基本となる電子機器収納装置を収納して電子機器装置を構築する方法を示す説明図である。
【図１０】図９の電子機器装置に増設する電子機器収納装置を収納する方法を示す説明図である。
【図１１】本発明の別の実施形態に係る電子機器用キャビネット１Ａの収納棚部の閉じた状態を示す斜視図である。
【図１２】図１１における電子機器用キャビネット１Ａの収納棚部を形成した状態を示す斜視図である。
【図１３】図１２における天板と側板との係止状態を示す側面図である。
【図１４】図１３における係止部の断面図である。
【図１５】従来の電子機器用キャビネットを示す断面図である。
【図１６】従来の電子機器用キャビネットに電子機器収納装置を収納する状態を示す説明図である。
【図１７】従来の電子機器用キャビネットに電子機器収納装置を収納した状態を示す斜視図である。
【符号の説明】
【００３５】
１，１Ａ  電子機器用キャビネット
２  キャビネット本体
３  開閉扉
４  裏面カバー
５，６  側面カバー
７，８，１２，１３  ケーブル整線機構
９  収納棚部
１０  棚部
１１  熱反射板
１４，１５，１４Ａ，１５Ａ  側板
１４ｄ，１５ｄ  係止部
１６  背板
１７，１７Ａ  天板
１７ａ，１７ｂ，１４ｅ，１５ｅ  穴部
１７ｃ，１７ｄ，１８ａ，１８ｂ，１９ａ，１９ｂ  スプリング蝶番
２０ａ，２１ａ  切り欠き部（凹部）
２０，２１  受け金具
２２  電源盤
２３  電子機器収納装置２４の収納空間
２４  電子機器収納装置
２６，２７  係止ピン
２８  プリント板（配線基板）
２８ａ  外線または内線ケーブル（メタル）
２８ｂ  外線または内線ケーブル（光）
２８ｂとが取り付けられるようになっている。
２９ａ  内線ケーブル（メタル）
２９ｂ  内線ケーブル（光）
３０，３０Ａ  電子機器装置
【図１】
2006060136.tif 000003
【図２】
2006060136.tif 000004
【図３】
2006060136.tif 000005
【図４】
2006060136.tif 000006
【図５】
2006060136.tif 000007
【図６】
2006060136.tif 000008
【図７】
2006060136.tif 000009
【図８】
2006060136.tif 000010
【図９】
2006060136.tif 000011
【図１０】
2006060136.tif 000012
【図１１】
2006060136.tif 000013
【図１２】
2006060136.tif 000014
【図１３】
2006060136.tif 000015
【図１４】
2006060136.tif 000016
【図１５】
2006060136.tif 000017
【図１６】
2006060136.tif 000018
【図１７】
2006060136.tif 000019